【手続補正書】
【提出日】平成21年6月9日(2009.6.9)
【手続補正１】
【補正対象書類名】特許請求の範囲
【補正対象項目名】全文
【補正方法】変更
【補正の内容】
【特許請求の範囲】
【請求項１】
画像データを用いて画像を表示する工程と、
前記画像データから所定の条件を満たす対象を検出し、該対象の前記画像における位置を求める工程と、
前記位置に基づいて、前記対象が検出された領域を示す検出結果を前記画像に重畳して表示する工程とを有し、
前記検出結果が表示されている間に、前記検出結果が示していた領域にいた対象と同一とみなせる対象が検出できなくなった場合に、
前記検出結果が継続して表示されている時間が所定の時間に達していなければ、前記対象が検出できていたときの前記対象の位置に基づく前記検出結果の表示を継続し、
前記検出結果が継続して表示されている時間が前記所定の時間に達していれば、前記検出結果の表示を消去することを特徴とする画像処理方法。
【請求項２】
前記検出結果が表示されている間に、前記検出結果が示していた対象が検出できた場合に、計測した時間をリセットすることを特徴とする請求項１に記載の画像処理方法。
【請求項３】
検出された前記対象の位置が前記画像の端部に近いほど、前記所定の時間を短く設定することを特徴とする請求項１または２記載の画像処理方法。
【請求項４】
検出された前記対象の大きさが大きいほど、前記所定の時間を短く設定することを特徴とする請求項１ないし３のいずれかに記載の画像処理方法。
【請求項５】
画像データを用いて画像を表示する工程と、
前記画像データから所定の条件を満たす対象を検出し、該対象の前記画像における位置を求める工程と、
前記位置に基づいて、前記対象が検出された領域を示す検出結果を前記画像に重畳して表示する工程とを有し、
前記検出結果が表示されている間に、前記検出結果が示していた領域にいた対象と同一とみなせる対象が検出できなくなった場合に、
前記対象が検出できていたときの前記対象の位置が前記画像の端部でないことを含む所定の条件を満たしていれば、前記対象が検出できていたときの前記対象の位置に基づく前記検出結果の表示を継続し、
前記所定の条件を満たしていなければ、前記検出結果の表示を消去することを特徴とする画像処理方法。
【請求項６】
画像データを用いて画像を表示する工程と、
前記画像データから所定の条件を満たす対象を検出し、該対象の前記画像における位置を求める工程と、
前記位置に基づいて、前記対象が検出された領域を示す検出結果を前記画像に重畳して表示する工程とを有し、
前記検出結果が表示されている間に、前記検出結果が示していた領域にいた対象と同一とみなせる対象が検出できなくなった場合に、
前記対象が検出できていたときの前記対象の移動方向が前記画像の外側でないことを含む所定の条件を満たしていれば、前記対象が検出できていたときの前記対象の位置に基づく前記検出結果の表示を継続し、
前記所定の条件を満たしていなければ、前記検出結果の表示を消去することを特徴とする画像処理方法。
【請求項７】
画像データを用いて画像を表示する工程と、
前記画像データから所定の条件を満たす対象を検出し、該対象の前記画像における位置を求める工程と、
前記位置に基づいて、前記対象が検出された領域を示す検出結果を前記画像に重畳して表示する工程とを有し、
前記検出結果が表示されている間に、前記検出結果が示していた領域にいた対象と同一とみなせる対象が検出できなくなった場合に、
前記画像データを更新した際の画像データの変化の大きさが所定の閾値を越えないことを含む所定の条件を満たしていれば、前記対象が検出できていたときの前記対象の位置に基づく前記検出結果の表示を継続し、
前記所定の条件を満たしていなければ、前記検出結果の表示を消去することを特徴とする画像処理方法。
【請求項８】
前記所定の条件を満たす対象とは人物の顔の形状であることを特徴とする請求項１ないし７のいずれかに記載の画像処理方法。
【請求項９】
画像データを用いて画像を表示する表示手段と、
前記画像データから所定の条件を満たす対象を検出し、該対象の前記画像における位置を求める検出手段と、
前記表示手段に、前記位置に基づいて、前記対象が検出された領域を示す検出結果を前記画像に重畳して表示させる制御手段と、
前記制御手段は、前記検出結果が表示されている間に、前記検出結果が示していた領域にいた対象と同一とみなせる対象が検出できなくなった場合に、
前記検出結果が継続して表示されている時間が所定の時間に達していなければ、前記表示手段に前記対象が検出できていたときの前記対象の位置に基づく前記検出結果の表示を継続し、
前記検出結果が継続して表示されている時間が前記所定の時間に達していれば、前記表示手段に前記検出結果の表示を消去させることを特徴とする画像処理装置。
【請求項１０】
画像データを用いて画像を表示する表示手段と、
前記画像データから所定の条件を満たす対象を検出し、該対象の前記画像における位置を求める検出手段と、
前記表示手段に、前記位置に基づいて、前記対象が検出された領域を示す検出結果を前記画像に重畳して表示させる制御手段と、
前記制御手段は、前記検出結果が表示されている間に、前記検出結果が示していた領域にいた対象と同一とみなせる対象が検出できなくなった場合に、
前記対象が検出できていたときの前記対象の位置が前記画像の端部でないことを含む所定の条件を満たしていれば、前記表示手段に前記対象が検出できていたときの前記対象の位置に基づく前記検出結果の表示を継続させ、
前記所定の条件を満たしていなければ、前記表示手段に前記検出結果の表示を消去させることを特徴とする画像処理装置。
【請求項１１】
画像データを用いて画像を表示する表示手段と、
前記画像データから所定の条件を満たす対象を検出し、該対象の前記画像における位置を求める検出手段と、
前記表示手段に、前記位置に基づいて、前記対象が検出された領域を示す検出結果を前記画像に重畳して表示させる制御手段と、
前記制御手段は、前記検出結果が表示されている間に、前記検出結果が示していた領域にいた対象と同一とみなせる対象が検出できなくなった場合に、
前記対象が検出できていたときの前記対象の移動方向が前記画像の外側でないことを含む所定の条件を満たしていれば、前記表示手段に前記対象が検出できていたときの前記対象の位置に基づく前記検出結果の表示を継続させ、
前記所定の条件を満たしていなければ、前記表示手段に前記検出結果の表示を消去させることを特徴とする画像処理装置。
【請求項１２】
画像データを用いて画像を表示する表示手段と、
前記画像データから所定の条件を満たす対象を検出し、該対象の前記画像における位置を求める検出手段と、
前記表示手段に、前記位置に基づいて、前記対象が検出された領域を示す検出結果を前記画像に重畳して表示させる制御手段と、
前記制御手段は、前記検出結果が表示されている間に、前記検出結果が示していた領域にいた対象と同一とみなせる対象が検出できなくなった場合に、
前記画像データを更新した際の画像データの変化の大きさが所定の閾値を越えないことを含む所定の条件を満たしていれば、前記表示手段に前記対象が検出できていたときの前記対象の位置に基づく前記検出結果の表示を継続させ、
前記所定の条件を満たしていなければ、前記表示手段に前記検出結果の表示を消去させることを特徴とする画像処理装置。
【請求項１３】
被写体像としての光束を前記画像データに変換する撮像素子を有することを特徴とする請求項９ないし１２のいずれかに記載の画像処理装置。
【請求項１４】
前記検出手段にて検出された前記対象に対してオートフォーカスを行う焦点制御手段、および、露出制御手段を行う露出制御手段を有することを特徴とする請求項１３に記載の画像処理装置。
【請求項１５】
請求項１から請求項８のいずれかに記載の画像処理方法をコンピュータに実行させるためのプログラム。
【手続補正２】
【補正対象書類名】明細書
【補正対象項目名】発明の名称
【補正方法】変更
【補正の内容】
【発明の名称】画像処理方法、画像処理装置、及び、画像処理方法をコンピュータに実行させるためのプログラム
【手続補正３】
【補正対象書類名】明細書
【補正対象項目名】００１１
【補正方法】変更
【補正の内容】
【００１１】
かかる目的下において、第１の発明は、画像データを用いて画像を表示する工程と、前記画像データから所定の条件を満たす対象を検出し、該対象の前記画像における位置を求める工程と、前記位置に基づいて、前記対象が検出された領域を示す検出結果を前記画像に重畳して表示する工程とを有し、前記検出結果が表示されている間に、前記検出結果が示していた領域にいた対象と同一とみなせる対象が検出できなくなった場合に、前記検出結果が継続して表示されている時間が所定の時間に達していなければ、前記対象が検出できていたときの前記対象の位置に基づく前記検出結果の表示を継続し、前記検出結果が継続して表示されている時間が前記所定の時間に達していれば、前記検出結果の表示を消去することを特徴とする画像処理方法とするものである。
【手続補正４】
【補正対象書類名】明細書
【補正対象項目名】００１２
【補正方法】変更
【補正の内容】
【００１２】
また、第２の発明は、画像データを用いて画像を表示する工程と、前記画像データから所定の条件を満たす対象を検出し、該対象の前記画像における位置を求める工程と、前記位置に基づいて、前記対象が検出された領域を示す検出結果を前記画像に重畳して表示する工程とを有し、前記検出結果が表示されている間に、前記検出結果が示していた領域にいた対象と同一とみなせる対象が検出できなくなった場合に、前記対象が検出できていたときの前記対象の位置が前記画像の端部でないことを含む所定の条件を満たしていれば、前記対象が検出できていたときの前記対象の位置に基づく前記検出結果の表示を継続し、前記所定の条件を満たしていなければ、前記検出結果の表示を消去することを特徴とする画像処理方法とするものである。
【手続補正５】
【補正対象書類名】明細書
【補正対象項目名】００１３
【補正方法】変更
【補正の内容】
【００１３】
また、第３の発明は、画像データを用いて画像を表示する工程と、前記画像データから所定の条件を満たす対象を検出し、該対象の前記画像における位置を求める工程と、前記位置に基づいて、前記対象が検出された領域を示す検出結果を前記画像に重畳して表示する工程とを有し、前記検出結果が表示されている間に、前記検出結果が示していた領域にいた対象と同一とみなせる対象が検出できなくなった場合に、前記対象が検出できていたときの前記対象の移動方向が前記画像の外側でないことを含む所定の条件を満たしていれば、前記対象が検出できていたときの前記対象の位置に基づく前記検出結果の表示を継続し、前記所定の条件を満たしていなければ、前記検出結果の表示を消去することを特徴とする画像処理方法とするものである。
また、第４の発明は、画像データを用いて画像を表示する工程と、前記画像データから所定の条件を満たす対象を検出し、該対象の前記画像における位置を求める工程と、前記位置に基づいて、前記対象が検出された領域を示す検出結果を前記画像に重畳して表示する工程とを有し、前記検出結果が表示されている間に、前記検出結果が示していた領域にいた対象と同一とみなせる対象が検出できなくなった場合に、前記画像データを更新した際の画像データの変化の大きさが所定の閾値を越えないことを含む所定の条件を満たしていれば、前記対象が検出できていたときの前記対象の位置に基づく前記検出結果の表示を継続し、前記所定の条件を満たしていなければ、前記検出結果の表示を消去することを特徴とする画像処理方法とするものである。
【手続補正６】
【補正対象書類名】明細書
【補正対象項目名】００９３
【補正方法】変更
【補正の内容】
【００９３】
そこで、検出された顔領域の面積が小さいほど、タイマー１０１５のカウント時間を長く設定する。